(57)【要約】【課題】地表面の表層を保護しつつ、樹木の生育を促進することができる、地表面保護材および地表面保護構造を提供する。【解決手段】地表面保護材１０は、生分解性を有する糸１２で構成された布１４からなる袋１６の内部に、ケイ酸を含有する植物由来の植生環境改善材を充填したことを特徴とするものであり、法面Ａ上に敷設して用いられる。地表面保護構造４０は、複数の地表面保護材１０を法面Ａ上に並べて敷設することによって構成されており、地表面保護材１０のそれぞれは、袋１６の表面を構成する表面材と袋１６の裏面を構成する裏面材とを縫合することによって形成された溝３４を有しており、隣り合う地表面保護材１０の溝３４が直線状に連続することによって排水路４４が構成されている。【選択図】図６
2010112160.tif 000002
【特許請求の範囲】
【請求項１】
地表面に敷設される地表面保護材であって、
生分解性を有する糸で構成された布からなる袋の内部に、ケイ酸を含有する植物由来の植生環境改善材を充填した、地表面保護材。
【請求項２】
前記植生環境改善材は枯れ草である、請求項１に記載の地表面保護材。
【請求項３】
前記枯れ草は廃畳から得られた藁である、請求項２に記載の地表面保護材。
【請求項４】
前記糸は麻糸である、請求項１ないし３のいずれかに記載の地表面保護材。
【請求項５】
前記袋は、平面視形状が正方形となるように形成されており、
前記袋の内部空間は、前記袋の表面を構成する表面材と前記袋の裏面を構成する裏面材とを十字状に縫合することによって、平面視形状が正方形となる４つの区画室に区画されており、
前記区画室のそれぞれに前記植生環境改善材が充填されている、請求項１ないし４のいずれかに記載の地表面保護材。
【請求項６】
前記表面材と前記裏面材とを十字状に縫合した縫合部は、前記表面材と前記裏面材とを重ねた部分を下方へ向けて凸となるように折り重ねるとともに、この折り重ねた部分を縫合することによって構成されている、請求項５に記載の地表面保護材。
【請求項７】
生分解性を有する糸で構成された布からなる袋と、前記袋の内部に充填されたケイ酸を含有する植物由来の植生環境改善材とを備える複数の地表面保護材を、水平面に対して傾斜した地表面上に並べて敷設した地表面保護構造であって、
前記地表面保護材のそれぞれは、前記袋の表面を構成する表面材と前記袋の裏面を構成する裏面材とを縫合することによって形成された溝を有しており、
隣り合う前記地表面保護材の前記溝が直線状に連続することによって排水路が構成されている、地表面保護構造。
【請求項８】
前記地表面保護材は、平面視形状が正方形となるように形成されており、前記地表面保護材のそれぞれは、一方の対角線が地表面の傾斜方向と同じ方向へ延びるようにして地表面上に敷設されている、請求項７に記載の地表面保護構造。
【請求項９】
前記袋の内部空間は、前記表面材と前記裏面材とを十字状に縫合することによって、平面視形状が正方形となる４つの区画室に区画されており、
前記区画室のそれぞれに前記植生環境改善材が充填されている、請求項８に記載の地表面保護構造。
【請求項１０】
樹木を育成するために地表面上に設けられたプランターをさらに備えており、
前記地表面保護材は、前記プランターを取り囲むようにして敷設されている、請求項７ないし９のいずれかに記載の地表面保護構造。
【請求項１１】
前記水平面に対して傾斜した地表面は法面である、請求項７ないし１０のいずれかに記載の地表面保護構造。
【発明の詳細な説明】
【技術分野】
【０００１】
本発明は、地表面を保護する地表面保護材および地表面保護構造に関し、特に、地表面における草本類の発生時期をコントロールすることのできる、地表面保護材および地表面保護構造に関する。
【背景技術】
【０００２】
地表面（法面等）を雨水等による浸食から保護する従来の地表面保護材としては、特許文献１または２に記載されているような「植生土嚢」または「緑化部材」が周知である。
【０００３】
特許文献１の「植生土嚢」は、ポリエチレンまたはポリプロピレン等からなる土嚢袋の内部に植物育成用の土砂を充填するとともに、土嚢袋の表面材と裏面材とを部分的に縫合し、これにより土砂の片寄りを防止して、「植生土嚢」の表面全体に植物を根付かせるようにしたものである。
【０００４】
特許文献２の「緑化部材」は、ポリエチレンまたはポリプロピレン等からなる土嚢袋を複数の区画室に区画し、各区画室に植物育成用の用土（栄養分を含まない。）を充填するとともに、各区画室の表面に窓を形成し、当該窓から用土に予め植え込んだ樹木を地表面に根付かせるようにしたものである。
【先行技術文献】
【特許文献】
【０００５】
【特許文献１】特開平８−１０９６３５号公報
【特許文献２】特開２００１−５７号公報
【発明の概要】
【発明が解決しようとする課題】
【０００６】
特許文献１の「植生土嚢」によれば、「植生土嚢」の表面全体に植物を速やかに根付かせることができるので、地表面の全面に植物を速やかに着床させることができる（特許文献１の段落［００１０］参照）。しかし、地表面で樹木の苗木を育成する場合には、「植生土嚢」の表面で生育した草本類が、苗木を圧迫したり、苗木に対する日照を遮ったりするため、苗木が枯死するおそれがあった。
【０００７】
一方、特許文献２の「緑化部材」によれば、用土に栄養分を含ませないことによって、草本類の発生を抑制しつつ、地表面に対する苗木の着床を促進することができる（特許文献２の段落［００１７］参照）。しかし、この「緑化部材」を使用することができるのは、「樹木を育成する用途」に限定され、「樹木を育成しない領域を緑化する用途」には使用することができなかった。
【０００８】
また、これらの「植生土嚢」および「緑化部材」は、いずれも土嚢袋内に土砂または用土を充填していたので、重量が大きくなり、運搬性および施工性が悪いという問題があった。さらに、これらはいずれも、ポリエチレンまたはポリプロピレン等からなる分解性の悪い土嚢袋を用いていたので、土嚢袋内の土砂または用土と地表面の土砂との混合が促進されず、地表面の植生環境を十分に改善することができないという問題があった。
【０００９】
本発明は、上記課題を解決するためになされたものであり、地表面の植生環境を改善することができるとともに、樹木の生育を促進することができ、さらに、「樹木を育成しない領域を緑化する用途」にも使用することができる地表面保護材および地表面保護構造を提供することを目的とする。また、本発明は、軽量化によって運搬性および施工性を高めることができる地表面保護材および地表面保護構造を提供することを目的とする。
【課題を解決するための手段】
【００１０】
上記課題を解決するために、本発明の地表面保護材は、地表面に敷設される地表面保護材であって、生分解性を有する糸で構成された布からなる袋の内部に、ケイ酸を含有する植物由来の植生環境改善材を充填したことを特徴とする。
【００１１】
この構成では、ケイ酸を含有する植生環境改善材によって地表面の植生環境を改善することができる。つまり、植生環境改善材に含まれるケイ酸が地表面の土壌に与えられると、土壌中に微生物が繁殖し、当該微生物によって地表面の土壌粒子が団粒化される。そして、土壌粒子が団粒化されると、土壌の通気性および透水性が高められるため、植生環境が改善される。したがって、地表面から自生種の草本類を自然発生させることができ、地表面に対して草本類を直接かつ確実に根付かせることができる。
【００１２】
また、地表面保護材によって地表面の植生環境が改善されるまでには、或る程度の時間がかかるため、地表面保護材を敷設する時期と樹木の苗木を植え付ける時期とが同時期であったとしても、当該苗木が成長するまで草本類の発生を抑えることができる。したがって、「草本類が発生する頃には、樹木（苗木）は既に大きくなっている。」という状況を作り出すことができ、「草本類が作る日陰によって樹木が日照不足になる。」という問題を解消することができる。換言すると、草本類の発生時期をコントロールすることによって、樹木（苗木）の生育を促進することができる。
【００１３】
そして、地表面保護材は、地表面の植生環境を改善する機能を有しているので、「樹木を育成しない領域を緑化する用途」にも使用することができる。さらに、袋の内部には、植物由来の植生環境改善材が充填されているため、土砂や用土が充填されている従来技術（特許文献１、２）に比べて、大幅な軽量化を達成でき、運搬性および施工性を高めることができる。
【００１４】
前記植生環境改善材は枯れ草であってもよい。
【００１５】
この構成では、ケイ酸を含有する植物由来の植生環境改善材として分解性に優れた「枯れ草」が用いられているので、地表面の土壌に対するケイ酸の供給効率を高めることができる。なお、「枯れ草」の具体例としては、藁、葦、ススキ、笹等を挙げることができる。
【００１６】
前記枯れ草は廃畳から得られた藁であってもよい。
【００１７】
この構成では、植生環境改善材としての「藁」を、建築廃材である廃畳から安価にして安定的に得ることができる。
【００１８】
前記糸は麻糸であってもよい。
【００１９】
この構成では、袋を構成する糸として天然材料である「麻糸」が用いられているので、当該袋すなわち麻袋を微生物によって容易に分解することができ、土壌に対する植生環境改善材の混入を促進することができる。
【００２０】
前記袋は、平面視形状が正方形となるように形成されており、前記袋の内部空間は、前記袋の表面を構成する表面材と前記袋の裏面を構成する裏面材とを十字状に縫合することによって、平面視形状が正方形となる４つの区画室に区画されており、前記区画室のそれぞれに前記植生環境改善材が充填されている構成であってもよい。
【００２１】
この構成では、袋の内部空間が十字状の縫合部によって４つの区画室に区画されているので、植生環境改善材の片寄りを防止することができる。また、十字状の縫合部によって隣り合う２つの区画室間に溝が形成されるので、飛来してきた草本類の種子を当該溝で捕捉することができ、当該溝で草本類を育成することができる。さらに、当該溝を用いて雨水または湧水等を排水することができる。
【００２２】
前記表面材と前記裏面材とを十字状に縫合した縫合部は、前記表面材と前記裏面材とを重ねた部分を下方へ向けて凸となるように折り重ねるとともに、この折り重ねた部分を縫合することによって構成されていてもよい。
【００２３】
この構成では、表面材と裏面材とを重ねた部分を下方へ向けて凸となるように折り重ねているので、縫合部の断面形状は略Ｖ字状になる。したがって、隣り合う２つの区画室間に通水性に優れた略Ｖ字状の溝を形成することができる。
【００２４】
本発明の地表面保護構造は、生分解性を有する糸で構成された布からなる袋と、前記袋の内部に充填されたケイ酸を含有する植物由来の植生環境改善材とを備える複数の地表面保護材を、水平面に対して傾斜した地表面上に並べて敷設した地表面保護構造であって、前記地表面保護材のそれぞれは、前記袋の表面を構成する表面材と前記袋の裏面を構成する裏面材とを縫合することによって形成された溝を有しており、隣り合う前記地表面保護材の前記溝が直線状に連続することによって排水路が構成されていることを特徴とする。
【００２５】
この構成は、地表面保護材を用いた地表面保護構造であり、隣り合う地表面保護材の溝が直線状に連続することによって排水路が構成されているので、雨水または湧水等が溝内に溜まるのを防止することができ、水分による不所望な袋の腐食を防止することができる。また、当該排水路を流れる水を植生環境改善材に与えることができるので、植生環境の改善に寄与する微生物の繁殖を促進することができる。
【００２６】
前記地表面保護材は、平面視形状が正方形となるように形成されており、前記地表面保護材のそれぞれは、一方の対角線が地表面の傾斜方向と同じ方向へ延びるようにして地表面上に敷設されている構成であってもよい。
【００２７】
この構成では、一方の対角線が地表面の傾斜方向と同じ方向へ延びるようにして地表面保護材が敷設されているので、袋の下端部における容積は小さくなっている。したがって、当該下端部に植生環境改善材が片寄るのを防止することができ、地表面の植生環境をむら無く改善することができる。
【００２８】
前記袋の内部空間は、前記表面材と前記裏面材とを十字状に縫合することによって、平面視形状が正方形となる４つの区画室に区画されており、前記区画室のそれぞれに前記植生環境改善材が充填されている構成であってもよい。
【００２９】
この構成では、袋の内部空間が４つの区画室に区画されているので、植生環境改善材の片寄りをより有効に防止することができる。
【００３０】
樹木を育成するために地表面上に設けられたプランターをさらに備えており、前記地表面保護材は、前記プランターを取り囲むようにして敷設されている構成であってもよい。
【００３１】
この構成では、プランターを取り囲むようにして敷設された地表面保護材によって、草本類の発生時期を遅らせることができるので、「草本類が発生する頃には、樹木（苗木）は既に大きくなっている。」という状況を作り出すことができ、「草本類が作る日陰によって樹木が日照不足になる。」という問題を解消することができる。
【００３２】
前記水平面に対して傾斜した地表面は法面であってもよい。
【００３３】
この構成は、水平面に対して傾斜した地表面を「法面」に限定したものである。
【発明の効果】
【００３４】
本発明は、以上に説明したように構成され、ケイ酸を含有する植生環境改善材によって地表面の植生環境を改善することができるので、地表面に対して自生種の草本類を直接かつ確実に根付かせることができる。また、草本類の発生時期を遅らせることによって、樹木が日照不足になるのを防止することができるので、樹木の生育を促進することができる。そして、地表面の植生環境を改善して草本類を育成することができるので、「樹木を育成しない領域を緑化する用途」にも使用することができる。さらに、袋の内部に土砂や用土を充填する必要がなく、軽量化を図ることができるので、運搬性および施工性を高めることができる。
【図面の簡単な説明】
【００３５】
【図１】第１実施形態に係る地表面保護材の構成を示す斜視図である。
【図２】第１実施形態に係る地表面保護材の構成を示す平面図である。
【図３】第１実施形態に係る地表面保護材の構成を示す正面図である。
【図４】図３におけるＩＶ−ＩＶ線断面図である。
【図５】十字状の縫合部の構成を示す部分拡大断面図である。
【図６】第１実施形態に係る地表面保護材を用いた地表面保護構造の構成を示す正面図である。
【図７】図６におけるＶＩＩ−ＶＩＩ線断面図である。
【図８】地表面保護構造を構成した後、２〜３ヶ月が経過した状態を示す断面図である。
【図９】地表面保護構造を構成した後、５〜６年が経過した状態を示す断面図である。
【図１０】第２実施形態に係る地表面保護材の構成を示す平面図である。
【発明を実施するための形態】
【００３６】
以下に、本発明の好ましい実施形態を、図面を参照しながら説明する。
【００３７】
（第１実施形態）
［地表面保護材の構成］
図１は、本発明の第１実施形態に係る地表面保護材１０を示す斜視図であり、図２は、地表面保護材１０を示す平面図である。また、図３は、地表面保護材１０を示す正面図であり、図４は、図３におけるＩＶ−ＩＶ線断面図である。
【００３８】
地表面保護材１０は、図６および図７に示すように、「地表面」としての法面Ａの表層を雨水等による浸食から保護することを目的として法面Ａ上に敷設されるものであり、図１〜図４に示すように、生分解性を有する糸１２で構成された布１４からなる袋１６の内部に、ケイ酸を含有する植物由来の植生環境改善材１８（図４）を充填したものである。
【００３９】
糸１２は、天然繊維または生分解性プラスチック繊維等を撚り合わせること等によって形成された線状部材である。糸１２の種類は、生分解性を有する限り、特に限定されるものではないが、袋１６を構成したときの型崩れ等を防止する観点からは、伸度が小さい「麻糸」を用いることが望ましい。
【００４０】
布１４は、糸１２を織成して得られた織布であり、布１４における糸１２間の間隔、すなわち織目の大きさは、袋１６の内容物である植生環境改善材１８が通過せず、かつ、十分な通気性および通水性が得られるように設計されている。なお、布１４の織組織としては、平織、綾織、もじり織等を任意に選択して用いることができるが、強度が高く、かつ、目ずれが生じ難い点において、「平織」を用いることが望ましい。
【００４１】
袋１６は、１枚の長方形の布１４を長手方向中央部において２つに折り畳むことによって平面視形状が正方形となるように形成されており、袋１６の表面を構成する正方形の表面材２０と袋１６の裏面を構成する正方形の裏面材２２とは、図２に示すように、袋１６の４辺のうちの１辺１６ａにおいて連続しており、残りの３辺１６ｂ、１６ｃおよび１６ｄにおいて糸２４を用いて互いに縫合されている。袋１６の大きさは、運搬性および施工性が損なわれない限り、特に限定されるものではないが、本実施形態では、植生環境改善材１８を充填したときの重量を考慮して「１ｍ（縦）×１ｍ（横）×０．１ｍ（高さ）」の大きさに設計されている。なお、糸２４の種類は、特に限定されるものではないが、自然環境に対する負荷を軽減する観点からは、生分解性の糸（麻糸等）を用いることが望ましい。
【００４２】
なお、本実施形態では、表面材２０および裏面材２２が１枚の長方形の布１４を２つに折り畳むことによって構成されているが、これらの構成態様はこれに限定されるものではなく、製造上の便宜等を考慮して適宜変更されてもよい。たとえば、表面材２０および裏面材２２が布１４を筒状に織ることによって一体に構成されてもよいし、表面材２０および裏面材２２が正方形の布１４として別々に構成されてもよい。前者の場合には、表面材２０と裏面材２２とが２辺で縫合されることによって袋１６が完成され、後者の場合には、表面材２０と裏面材２２とが４辺で縫合されることによって袋１６が完成される。
【００４３】
そして、袋１６の内部空間は、図５に示すように、表面材２０と裏面材２２とを糸２６を用いて十字状に縫合することによって、平面視形状が正方形となる４つの区画室Ｒに区画されており、区画室Ｒのそれぞれには、植生環境改善材１８が充填されている。
【００４４】
表面材２０と裏面材２２とを十字状に縫合した縫合部２８は、表面材２０と裏面材２２とを重ねた部分（すなわち２重部分）３０を下方へ向けて凸となるように折り重ねるとともに、この折り重ねた部分（すなわち４重部分）３２を糸２６で縫合することによって構成されている。したがって、縫合部２８の断面形状は略Ｖ字状となり、隣り合う２つの区画室Ｒ間には、通水性に優れた略Ｖ字状の溝３４が形成される。
【００４５】
なお、十字状の縫合部２８の縫合構造は、袋１６の内部空間を区画できる限り、特に限定されるものではなく、たとえば２重部分３０を糸２６で縫合することによって構成されてもよい。この場合でも、隣り合う２つの区画室Ｒ間に溝を形成することができ、当該溝に雨水等を流すことができる。また、糸２６の種類は、特に限定されるものではないが、自然環境に対する負荷を軽減する観点からは、生分解性の糸（麻糸等）を用いることが望ましい。
【００４６】
植生環境改善材１８は、ケイ酸を含有する植物由来のものであり、具体的には、藁、葦、ススキ、笹等の刈り草を乾燥させた「枯れ草」や「木質チップ」等が植生環境改善材１８として用いられる。植生環境改善材１８として使用可能な材料の中でも「枯れ草」は、繊維が柔らかくて分解され易いことから、土壌に対するケイ酸の供給源として優れており、「枯れ草」の中でも「藁」は、稲作の副産物として大量かつ継続的に生産されることから、安定的に供給できる材料として優れている。さらに、「藁」の中でも「廃畳から得られる藁」は、建築物の建て替え時や解体時に発生する建築廃材から得られることから、安価にして安定的に供給できる材料として、また、自然環境に優しいリサイクル材料として優れている。
【００４７】
なお、植生環境の改善にケイ酸が有効であることは、伝統的な農業技術によって立証されており、たとえば、藁を押し伏せる「敷き藁工法」はケイ酸の「植生環境改善機能」を利用したものとして周知である。
【００４８】
袋１６の各区画室Ｒに植生環境改善材１８を充填すると、図５に示すように、植生環境改善材１８によって表面材２０が持ち上げられ、隣り合う２つの区画室Ｒ間に、略Ｖ字状の溝３４が顕著に現れるとともに、十字状の縫合部２８の４重部分３２が袋１６の底面に突出される。したがって、地表面保護材１０を法面Ａ上に敷設した際には、十字状に突出した４重部分３２を「法面Ａの表面に引っ掛かる係止部」として機能させることができ、地表面保護材１０の位置ずれを防止することができる。
［地表面保護構造の構成］
法面Ａを緑化する際には、図６および図７に示すように、樹木３６を育成するための少なくとも１つ（本実施形態では２つ）のプランター３８を法面Ａ上の所定箇所に設けるとともに、このプランター３８を取り囲むようにして複数の地表面保護材１０を法面Ａ上に並べて敷設し、これにより、少なくとも１つのプランター３８と複数の地表面保護材１０とを備える地表面保護構造４０を構成する。
【００４９】
地表面保護構造４０を構成する複数の地表面保護材１０のそれぞれは、平面視形状である「正方形」の一方の対角線Ｌ（図６）が法面Ａの傾斜方向と同じ方向へ延びるようにして法面Ａ上に敷設されており、袋１６の中央部に貫通させた固定ピン（図示省略）を法面Ａの土壌に突き刺すことによって法面Ａ上に固定されている。また、地表面保護材１０のそれぞれは、隣り合う地表面保護材１０の溝３４が直線状に連続するとともに、隣り合う地表面保護材１０間に溝４２が形成されるように、法面Ａの傾斜方向に対して略４５度の角度で傾斜する方向へ並べて敷設されており、これにより、当該方向へ延びる排水路４４が網目状に構成されている。
【００５０】
なお、地表面保護材１０を法面Ａ上に固定する方法としては、上述の「固定ピンを用いて固定する方法」の他、「竹等によって構成された押さえ枠を地表面保護材１０の上に載せて固定する方法」や「法面Ａの土壌に突き刺したピンに地表面保護材１０を押える線状部材（麻縄等）を架け渡して固定する方法」等を任意に選択して用いることができる。
【００５１】
また、地表面保護材１０の各区画室Ｒに充填される植生環境改善材１８の量は、適宜変更可能であり、場合によっては、植生環境改善材１８が充填されていない区画室Ｒが存在していてもよい。本実施形態では、図７に示すように、プランター３８と重なる位置に配置された区画室Ｒ０には、植生環境改善材１８が充填されておらず、袋１６における当該区画室Ｒ０の部分は、樹木３６の植え付けの妨げにならないように折り畳まれている。
［地表面保護材の作用・効果］
法面Ａ上に地表面保護構造４０を構成した当初には、図６および図７に示すように、プランター３８に樹木３６の苗木が植え込まれる。このとき、地表面保護材１０の上には、草本類の種子等が撒かれることはなく、草本類の発生および生育は、地表面保護材１０によって条件付けられた環境下において、自然の推移に委ねられる。
【００５２】
法面Ａ上に地表面保護構造４０を構成した後、２〜３ヶ月が経過すると、図８に示すように、排水路４４を構成する溝３４および４２から草本類４６が自然発生する。これは、風に乗って飛来してきた草本類４６の種子が溝３４および４２に溜まり、溝３４および４２の下方に存在する法面Ａの土壌から養分を得て発芽するためであると考えられる。
【００５３】
この頃には、未だ植生環境改善材１８の分解は進んでおらず、たとえ表面材２０の上面に草本類４６の種子が付着したとしても、植生環境改善材１８からは直接養分を得ることができないめ、発芽することはない。したがって、溝３４および４２において草本類４６が発生したとしても、その量は僅かであり、草本類４６が作る日陰によって樹木（苗木）３６の日照が遮られることはなく、樹木（苗木）３６の生育が阻害されることはない。
【００５４】
植生環境改善材１８の分解が進んで、その体積減少が生じるまでは、植生環境改善材１８で表面材２０が持ち上げられているため、溝３４および４２の深さは十分にあり、雨水または湧水は溝３４および４２（すなわち排水路４４）を流れることになる。したがって、溝３４および４２（すなわち排水路４４）から植生環境改善材１８に対して適度な水分を供給することができ、袋１６および植生環境改善材１８の「保湿および保温の機能」と相俟って、植生環境改善材１８の分解に寄与する微生物の繁殖を促進することができる。また、溝３４および４２（すなわち排水路４４）を流れる水を、そこに発生した草本類４６に供給することができるので、上記「保湿および保温の機能」と相俟って、草本類４６の生育を促進することができる。さらに、過剰な雨水等は、排水路４４を通して排出されるので、雨水等によって法面Ａの表層が浸食されるのを防止することができる。
【００５５】
法面Ａ上に地表面保護構造４０を構成した後、５〜６年が経過すると、図９に示すように、微生物等によって植生環境改善材１８および袋１６が完全に分解され、これらが法面Ａの土壌４８と完全に一体化される。したがって、地表面保護材１０によって草本類４６の発生が抑制されることはなく、法面Ａの全面に自生種の草本類４６が発生するようになる。
【００５６】
この頃の樹木３６は、既に草本類４６よりも大きく成長しているため、草本類４６が作る日陰によって樹木３６の日照が遮られることはなく、樹木３６の生育が阻害されることはない。また、植生環境改善材１８および袋１６が完全に分解されると、雨水または湧水は、法面Ａを傾斜方向へ真っ直ぐに流れようとするが、成長した樹木３６および草本類４６が水分をしっかりと吸収するため、法面Ａの表層が雨水等によって浸食されることはない。
【００５７】
法面Ａ上に地表面保護構造４０を構成した後、９〜１０年が経過すると（図示省略）、樹木３６は既に大きく成長しているため、樹木３６が作る日陰によって草本類４６の日照が遮られ、草本類４６の生育が抑制される。したがって、草本類４６は、枯死によって徐々に減少し、樹木３６を主体とする林が構成されるようになる。この頃には、大きく成長した樹木３６が法面Ａの土壌に深く根付いているので、法面Ａの地盤は極めて安定しており、法面Ａの表層が雨水等によって浸食されることはない。
【００５８】
このように、本実施形態では、地表面保護材１０で地表面保護構造４０を構成することによって、草本類４６の発生時期をコントロールすることができ、法面Ａの表層を保護しつつ、樹木３６の生育を促進することができる。また、ケイ酸を含有する植生環境改善材１８によって法面Ａの植生環境を長期間に亘って改善することができるので、法面Ａから草本類４６を自然発生させることができ、法面Ａに対して自生種の草本類４６を直接かつ確実に根付かせることができる。したがって、プランター３８で樹木３６を育成するか否かにかかわらず、法面Ａの表層を自生種の草本類４６によって保護することができる。換言すると、外来の草本類（牧草等）による生態系の撹乱を生じることなく、法面Ａの地盤を安定させることができる。
【００５９】
（第２実施形態）
第２実施形態に係る地表面保護材５０は、図１０に示すように、袋５２の内部空間を十字状の縫合部５４によって平面視形状が直角三角形となる４つの区画室Ｒに区画するようにしたものであり、他の構成は、第１実施形態に係る地表面保護材１０と同様である。
【００６０】
この地表面保護材５０を用いて法面を緑化する際には、複数の地表面保護材５０のそれぞれが、平面視形状である「正方形」の一辺が法面の傾斜方向と同じ方向へ延びるようにして法面上に並べて敷設される。また、隣り合う地表面保護材５０の溝５６が法面の傾斜方向に対して略４５度の角度で傾斜する方向に連続され、これにより、当該方向へ延びる排水路が網目状に構成される。
【００６１】
第２実施形態によれば、複数の地表面保護材５０を並べることによって平面視略四角形の地表面保護構造（図示省略）を構成することができるので、法面が四角形である場合でも、法面の全体をむら無く緑化することができる。
【産業上の利用可能性】
【００６２】
本発明は、植生環境を改善すべきあらゆる「地表面」に使用可能であり、上述の各実施形態における「法面」の他、たとえば、丘陵地における水平面に対して傾斜した地表面や、平地における水平面に対して平行な地表面にも使用可能である。
【符号の説明】
【００６３】
Ａ…  法面
Ｒ…  区画室
１０…  地表面保護材
１２…  糸
１４…  布
１６…  袋
１８…  植生環境改善材
２０…  表面材
２２…  裏面材
２８…  縫合部
３０…  ２重部分
３２…  ４重部分
３４…  溝
３６…  樹木
３８…  プランター
４０…  地表面保護構造
４２…  溝
４４…  排水路
４６…  草本類
４８…  土壌
５０…  地表面保護材
５２…  袋
５４…  縫合部
５６…  溝
【図１】
2010112160.tif 000003
【図２】
2010112160.tif 000004
【図３】
2010112160.tif 000005
【図４】
2010112160.tif 000006
【図５】
2010112160.tif 000007
【図６】
2010112160.tif 000008
【図７】
2010112160.tif 000009
【図８】
2010112160.tif 000010
【図９】
2010112160.tif 000011
【図１０】
2010112160.tif 000012